(57)【特許請求の範囲】
【請求項１】
ブレードと、ブレードの下部に一端部が固定されるシャフトと、シャフトの中間に挟まれて結合されるピニアンと、ピニアンが結合されたシャフトを回転可能な状態で収容するシャフトホルダーと、を備え、前記シャフトホルダーは、ピニアンを回転させるワインダー接続口を有する玩具コマにおいて、
前記ワインダー接続口は、
一側が開口されてワインダーの第１部分の一部を側面において当接させるための切開部と、
前記ワインダーの第１部分の一部を前記ワインダー接続口の側面に当接させた状態で、そのワインダーを一側に位置移動させたとき、前記ワインダーの第１部分から延長された第２部分が、前記切開部の内側の段部に係止され、前記第２部分がワインダー接続口の側面から離脱することを防止するガイド溝と、を有し、
前記切開部は、外側に開口され、前記切開部の内側に前記ピニアンが位置されていることを特徴とする、玩具コマ。
【請求項２】
前記ワインダーの第１部分は、
前記ワインダー接続口の切開部の幅よりも小さな厚さを有する第１の支持台と、
前記切開部の外面の両側に当接する翼部と、
からなり、
前記ワインダーの第２部分は、
前記第１の支持台から直線状に延長される第２の支持台と、
前記第２の支持台の厚さよりもさらに厚く形成されるラックギア部と、
からなり、
前記ラックギア部は、前記翼部と反対の面に形成され、前記ピニアンと噛み合うようになることを特徴とする、請求項１に記載の玩具コマ。
【請求項３】
前記ラックギア部が前記切開部の内側の段部に係止され、前記第２部分の側面からの離脱が防止されることを特徴とする請求項２に記載の玩具コマ。
【発明の詳細な説明】
【技術分野】
【０００１】
本発明は、玩具こまに関し、より詳しくは、こまを回転させるのに用いられるワインダーの結合を容易にすることができる構造を提供することに関する。
【背景技術】
【０００２】
一般に、こまは、慣性を用いる回転遊び器具であり、本発明者が開発した特許登録第１０５１８４７号の構造が知られている。
【０００３】
従来の玩具コマは、図１、図２のように、ブレード１１０と、ブレードの下部に一端部が固定されるシャフト１２３と、シャフトの中間に挟まれて結合されるピニアン１２２と、ピニアンが結合されたシャフト１２３を回転可能な状態で収容可能に構成されるシャフトホルダー１２０と、からなる。
【０００４】
シャフトホルダー１２０は、ピニアンを取り囲むピニアンハウジング１２４と、シャフト１２３の下端を支持するように、ピニアンハウジングの下部に設けられるハンドル１２７と、ハンドルの下部に設けられる回転チップ１２６と、からなる。
【０００５】
前記シャフト１２３の円滑な回転のために、ピニアンハウジング１２４とハンドル１２７には、ベアリング２８ａ、２８ｂが設けられる。
【０００６】
前記ピニアンハウジング１２４の両側には、ピニアン１２２を時計方向または反時計方向に回転させるための、対称形のワインダー挿入口１２４ａ、１２４ａが設けられる。
【０００７】
利用者がシャフトホルダーのハンドル１２７を片手で取った状態で、ワインダー挿入口１２４ａ、１２４ａに、ピニアン１２２に噛み合わされるラックギア部１６ａが形成されたワインダー１６を挟み込み、もう一方の手で引っ張り、ワインダー１６を抜き取ると、ブレード１１０が回転するようになる。ブレード１１０に回転力が加えられた状態で、ハンドル１２７を床面に置くと、ブレードの回転遠心力により、コマ１００は回転するようになる。
【０００８】
このように構成される従来のコマ１００は、ワインダー挿入口１２４ａ、１２４ａが、ワインダー１６を挟み込める構造で形成されており、ワインダーを挟み込む過程が煩雑であり、ワインダーを挟んだ後、ワインダーが引っ張れる位置まで押し込むとき、ブレード１１０に不要な回転がかかるという短所があった。
【０００９】
また、ワインダー１６をワインダー挿入口１２４ａ、１２４ａに挟み込む時間が長くなるという短所があった。
【発明の概要】
【発明が解決しようとする課題】
【００１０】
本発明は、上記問題点に鑑みなされたものであり、その目的は、コマへのワインダー結合を迅速にしてコマを回転させることができる構造を提供することにある。
【００１１】
また、本発明の他の目的は、ワインダー挿入口にワインダーを挟むことなく、ワインダーを側面に当接させて引っ張ることだけで、簡単にコマに回転動力を伝達可能な構造を提供することにある。
【課題を解決するための手段】
【００１２】
上述した目的を達成するために、本発明による玩具コマは、ブレードと、ブレードの下部に一端部が固定されるシャフトと、シャフトの中間に挟まれて結合されるピニアンと、ピニアンが結合されたシャフトを回転可能な状態で収容するシャフトホルダーと、を備え、前記シャフトホルダーは、ピニアンを回転させるワインダー接続口を有する。
【００１３】
特に、前記ワインダー接続口は、ワインダーの第１部分の一部を側面で当接させるための切開部と、前記ワインダーの第１部分の一部を側面に当接させた状態で、そのワインダーを一側に位置移動させたとき、前記ワインダーの第１部分から延長された第２部分が、前記切開部の内側の段部に係止され、前記第２部分の側面からの離脱が防止されるガイド溝と、を有する。
【００１４】
すなわち、ワインダーをワインダー接続口に挟まず、ワインダーの第１部分をワインダー接続口の切開部に接続した状態で、側部に若干引っ張り、ラックギア部が形成された第２部分がワインダー接続口のガイド溝に簡単に結合されるように構造を改良する。
【００１５】
また、前記ワインダーの第１部分は、前記ワインダー接続口の切開部の幅よりも小さな厚さを有する第１の支持台と、前記切開部の外面の両側に当接する翼部と、からなり、前記ワインダーの第２部分は、前記第１支持台から直線状に延長される第２支持台と、第２支持台の厚さよりもさらに厚く形成されるラックギア部と、からなり、前記ラックギア部は、前記翼部と反対の面に形成され、前記ピニアンと噛み合うようになることを特徴とする。
【００１６】
また、前記ラックギア部が前記切開部の内側の段部に係止され、前記第２部分の側面からの離脱が防止されることを特徴とする。
【発明の効果】
【００１７】
本発明によれば、コマに回転動力を伝達するワインダーをワインダー接続口に挟まず、ワインダーの第１部分をワインダー接続口の切開部に当接させた状態で、側部に若干引っ張り、ラックギア部が形成された第２部分がワインダー接続口のガイド溝に簡単に結合されて離脱しないようにすることにより、ワインダー接続口にワインダーを挟み込む煩雑さを避け、コマのブレードに不要な回転がかからないようにする効果が得られる。
【００１８】
また、従来のコマと比較して、迅速に回転動力を伝達することができる効果が得られる。
【図面の簡単な説明】
【００１９】
【図１】従来のコマの構造を示す断面図である。
【図２】従来のコマにワインダーが挟まれた状態を示す要部立体図である。
【図３】本発明の玩具コマを示す立体図である。
【図４】本発明の玩具コマにおいて、ブレードが分離された状態を示す要部立体図である。
【図５】図４の分解斜視図である。
【図６】本発明のワインダーを示す正面図である。
【図７】本発明のワインダーを示す背面図である。
【図８】本発明のワインダー接続口にラックギア部が形成されたワインダーの第２部分が結合された状態を示す要部断面図である。
【図９】本発明のワインダー接続口にラックギア部が形成されたワインダーの第２部分が結合された状態を示す要部立体図である。
【図１０】本発明のワインダー接続口にワインダーに当接させる直前の状態を示す要部立体図である。
【発明を実施するための形態】
【００２０】
以下、図１乃至図１０に基づき、本発明の玩具コマの技術構成及び作用効果について詳述する。
【００２１】
本発明の玩具コマ２００は、図３乃至図５に示すように、ブレード２１０と、ブレードの下部に一端部が固定されるシャフト２２３と、シャフトの中間に挟まれて結合されるピニアン２２２と、を備える。
【００２２】
シャフト２２３がブレード２１０の固定部から空回りせず、堅固に固定されるように、シャフトの上端面を角形に構成し、または滑り防止用の縞模様を加えてもよい。
【００２３】
ブレードの下部には、ピニアンが結合されたシャフト２２３を回転可能な状態で収容可能にシャフトホルダー２２０が構成される。
【００２４】
前記シャフトホルダー２２０は、ピニアンを取り囲むピニアンハウジング２２４と、シャフト１２３の下端を支持するように、ピニアンハウジングの下部に設けられるハンドル２２７、及びハンドルの下部に設けられる回転チップ２２６からなる。
【００２５】
前記シャフトホルダー２２０は、図５のように、プラスチック射出により、一体で構成される。前記シャフト２２３は、円滑な回転のために、ピニアンハウジング２２４とハンドル２２７にベアリング（図示せず）が設けられてもよい。
【００２６】
前記ピニアンハウジング２２４の両側には、ピニアン２２２を回転させるように、対称形のワインダー接続口２２４ａ、２２４ｂが設けられる。
【００２７】
前記ピニアンハウジング２２４は、シャフト２２３に結合されたピニアン２２２を時計方向または反時計方向に回転させるために、両側面に対称形のワインダー接続口２２４ａ、２２４ｂが設けられる。
【００２８】
前記それぞれのワインダー接続口２２４ａ、２２４ｂは、側面が開放して形成されるスリット状の切開部３３、３３を有し、その切開部が形成された内側には、ワインダーのラックギア部分が通過可能なガイド溝３４、３４が設けられる。前記それぞれの切開部３３、３３は、上下部に段部３３ａ、３３ｂを有し、段部間の幅ｄ１よりもガイド溝３４、３４の幅ｄ２がさらに広くなっている。
【００２９】
一方、前記ワインダー接続口２２４ａ、２２４ｂのいずれか一方に結合されるワインダー１１６は、図６及び図７、図１０のように、前記ワインダー接続口の切開部３３、３３の幅ｄ１よりも小さな厚さを有する第１支持台１１５と、前記第１支持台の両側に翼状に突出する翼部１１５ａ、１１５ｂで構成された第１部分と、前記第１支持台１１５から直線状に延長する第２支持台２１５と、前記第２支持台の厚さよりもさらに厚く形成されるラックギア部２１６で構成される第２部分と、からなる。
【００３０】
特に、前記ラックギア部２１６は、前記第１部分の翼部１１５ａ、１１５ｂが形成された面と反対方向に形成され、前記ピニアン２２２と噛み合うようになり、そのラックギア部の幅は、切開部３３、３３の幅ｄ１よりも大きく、ガイド溝３４、３４の幅ｄ２よりも小さくなっている。第１部分の外側には、取っ手８０が設けられる。
【００３１】
このようにワインダー接続口２２４ａ、２２４ｂとワインダー１１６を構成することにより、ワインダーの第１支持台１１５をいずれか一方の切開部３３に当接させると、翼部１１５ａ、１１５ｂが切開部の外面に係止されて接触する状態で、第１支持台１１５のみが切開部３３間に挟まれる。この状態で、取っ手８０を用いて若干移動させると、図８のように、第２支持台２１５の一面に形成されたラックギア部２１６が切開部３３の段部３３ａ、３３ｂに係止され、ワインダー接続口の外側に離脱せず、ガイド溝３４内に誘導される。もちろん、前記第１支持台１１５と第２支持台２１５は、同一の形態の直線状をなす支持台であり、切開部の幅ｄ１間を通過するようになる。
【００３２】
一例として、図１０のように、ワインダー１１６が一側のワインダー接続口２２４ｂに当接されるように、ワインダーの方向及び位置を決めた後、ワインダーの第１部分を切開部３３に当接させた状態で、第２部分のラックギア部２１６が切開部３３の段部３３ａ、３３ｂに係止され、ガイド溝３４内に誘導されるまで側部に移動させると、ワインダーの結束が簡単に完了し、ワインダーの結束が完了した状態で、取っ手８０を引っ張ると、ピニアン２２２に回転動力が伝達される。
【００３３】
ピニアン２２２に加えられる回転力により、ブレード２１０が回転する状態でコマを床面に置くと、そのブレードの回転遠心力によりコマが回転するようになる。
【００３４】
上述した本発明は、例示された図面及び説明に限定されるものではなく、本発明の技術思想及び発明の目的範囲を逸脱しない範囲内で様々な変形実施が可能である。
【産業上の利用可能性】
【００３５】
本発明は、玩具コマを回転させるのに用いるワインダーの結合を容易に行うことができる構造を提供する。
【図１】
0005941557.tif 000002
【図２】
0005941557.tif 000003
【図３】
0005941557.tif 000004
【図４】
0005941557.tif 000005
【図５】
0005941557.tif 000006
【図６】
0005941557.tif 000007
【図７】
0005941557.tif 000008
【図８】
0005941557.tif 000009
【図９】
0005941557.tif 000010
【図１０】
0005941557.tif 000011